(57)【要約】【課題】日常生活に適用し、内反小指又は外反母趾の予防および矯正に効果を有する履物を提供することである。【解決手段】矯正用履物１は足型に形成された内底２に設けた鼻緒３と内底２に設けた甲被部材４と内底２の下側面に設けた下底５とから構成する。内底２は足型に形成された薄い板状で、内底２の周縁６には足全体を覆う略袋状の甲被部材４が固着され、甲被部材４の上方に形成された開口部７は人間の甲対応部分から踝対応部分までを露出可能にする大きさに形成されている。内底２の上側面８の足指の第１足指対応部９と第２足指対応部10との付け根対応部11には円柱状の前緒12が設けられ、前緒12の上端には第１の横緒13及び第２の横緒14が接続されている。下底５は内底２と同様な足型に形成され内底２の下側面に固着されており、下底５の踵対応部は下方に厚く形成されヒール部16を形成している。【選択図】図１
0003117302.tif 000002
【実用新案登録請求の範囲】
【請求項１】
鼻緒を有する履物であって、少なくとも踵部が短靴形態をした矯正用履物。
【請求項２】
前記履物は、前記踵部を構成している下底の後端を下方に突設しヒール部を設けたことを特徴とする請求項１記載の矯正用履物。
【請求項３】
前記履物は、前記踵部を構成している下底の後端を下方に僅かに突設しヒール部を設けたことを特徴とする請求項１記載の矯正用履物。
【請求項４】
前記履物は、履物本体の内底における第１足指対応部と第２足指対応部の付け根対応部から上方に立設された仕切部材たる前緒を有する前記鼻緒を有したことを特徴とした請求項１〜３のいずれか１項に記載の矯正用履物。
【請求項５】
前記鼻緒は、前記前緒の上端に接続された第１の横緒と第２の横緒とを有し、前記第１の横緒は一端を前記前緒の上端に接続し他端を前記内底の第１足指対応部側の中央側端で接続され、前記第２の横緒は一端を前記前緒の上端に接続し他端を前記内底の第５足指対応部側の中央側端で接続したことを特徴とする請求項４記載の矯正用履物。
【請求項６】
前記鼻緒は、前記前緒の上端に接続された第１の横緒と第２の横緒とを有し、前記第１の横緒は一端を前記前緒の上端に接続し他端を前記履物の甲被部材における裏面の内側で接続され、前記第２の横緒は一端を前記前緒の上端に接続し他端を前記履物の前記甲被部材における裏面の外側で接続したことを特徴とする請求項４記載の矯正用履物。
【請求項７】
前記矯正用履物は、足側面対応部を保持する足側面被部材を有したことを特徴とする請求項１〜６のいずれか１項記載の矯正用履物。
【請求項８】
前記矯正用履物の下底部材は、ゴム又は合成樹脂からなる軟質弾性部材から形成されたことを特徴とする請求項１〜７のいずれか１項記載の矯正用履物。
【考案の詳細な説明】
【技術分野】
【０００１】
本考案は、内反小指又は外反母趾の予防および矯正に効果を有する履物に係るものである。
【背景技術】
【０００２】
従来、内反小指とは、先天性及び特殊炎症や外傷の後遺症としての足趾変形を除ぎ、足の横アーチを形成している足の第５足指の中足指節関節部から足の外方に曲がって変形し関節部分に痛みを生じるものである。そして母趾（第１足指）の中足指節関節部から足の外方に曲がって変形し関節部分に痛みを生じさせるものが、外反母趾と呼ばれる。これら内反小指又は外反母趾を患っているものにとっては、履物を履いての荷重歩行は、内反小指又は外反母趾の患部である中足指節関節部が履物の甲被部材の内側に押し当てられるため疼痛を伴ったものになる。
【０００３】
そして、これら内反小指又は外反母趾による足趾変形に対処した履物として、長靴の内部に鼻緒を有した履物がある（特許文献１）。
【特許文献１】実開平１−１３３４０７号公報
【考案の開示】
【考案が解決しようとする課題】
【０００４】
しかし、この特許文献１の履物では、履物は長靴形状をしており、日常に使用する履物としては困難な履物である。その上内反小指又は外反母指の痛みに悩まされている女性にとっては、長靴のような履物ではなく日常生活に使用するパンプス、ハイヒール又はサンダル等の図11に示されるような踝が露出される踵部Ｋが短靴形態の履物で内反小指又は外反母趾に対処したものが望まれていた。そして通常女性が履く短靴形態をした履物は爪先が先細りの形状をし、踵を高く形成したものが多く、歩行時に足先が甲被部材に押圧される時に生じる痛みも他の形態をした履物と比べて大きなものであった。
【０００５】
解決しようとする問題点は、日常の生活に適用し、内反小指又は外反母趾の予防および矯正に効果を有する履物を提供することである。
【課題を解決するための手段】
【０００６】
請求項１の考案は、鼻緒を有する履物であって、少なくとも踵部が短靴形態をしたことである。
【０００７】
請求項２の考案は、前記履物は、前記踵部を構成している下底の後端を下方に突設しヒール部を設けたことである。
【０００８】
請求項３の考案は、前記履物は、前記踵部を構成している下底の後端を下方に僅かに突設しヒール部を設けたことである。
【０００９】
請求項４の考案は、前記履物は、履物本体の内底における足指の第１足指対応部と第２足指対応部の付け根対応部から上方に立設された仕切部材たる前緒を有する前記鼻緒を有したことである。
【００１０】
請求項５の考案は、前記鼻緒は、前記前緒の上端に接続された第１の横緒と第２の横緒とを有し、前記第１の横緒は一端を前記前緒の上端に接続し他端を前記内底の第１足指対応部側の中央側端で接続され、前記第２の横緒は一端を前記前緒の上端に接続し他端を前記内底の第５足指対応部側の中央側端で接続したことである。
【００１１】
請求項６の考案は、前記鼻緒は、前記前緒の上端に接続された第１の横緒と第２の横緒とを有し、前記第１の横緒は一端を前記前緒の上端に接続し他端を前記履物の甲被部材における裏面の内側で接続され、前記第２の横緒は一端を前記前緒の上端に接続し他端を前記履物の前記甲被部材における裏面の外側で接続したことである。
【００１２】
請求項７の考案は、前記矯正用履物は、足側面対応部を保持する足側面被部材を有したことである。
【００１３】
請求項８の考案は、前記矯正用履物の下底部材は、ゴム又は合成樹脂からなる軟質弾性部材から形成されたことである。
【考案の効果】
【００１４】
請求項１の考案によれば、踵部が短靴形態をした履物１でも内反小指及び外反母趾を予防し、また既に内反小指及び外反母趾になった人でも、足に痛みを伴わずに履くことができる。
【００１５】
請求項２の考案によれば、ヒール部が形成された履物に鼻緒が設けられたことにより、履物としての安定感が増し、内反小指又は外反小指の矯正用履物の意匠的にも優れたものとする事ができる。
【００１６】
請求項３の考案によれば、ヒール部の厚さを僅かにすることにより、履物を履いた時の前傾の傾斜を少なくすることで、足先への荷重の集中を緩和させ、内反小指又は外反母趾の予防の効果を高め、足の痛みを緩和させるとともにヒール部の引っかかりを少なくすることで、凹凸や段差の有る場所での使用においても容易に対応することができる。
【００１７】
請求項４の考案によれば、履物に仕切部材たる前緒と踵固定部が形成されたことにより、前緒が荷重歩行時の足指を支持することで、履物の甲被部材の内部に足指が押付けられる痛みを無くすることができる。
【００１８】
請求項５の考案によれば、鼻緒を前緒と第１の横緒と第２の横緒とから構成することで、鼻緒により第１足指対応部と第２足指対応部との付け根対応部が支持され、第１の横緒と第２の横緒により足甲部分と足側面部分とが支持されることにより、履物内部での足先の安定感を高めることができる。
【００１９】
請求項６の考案によれば、鼻緒を前緒と第１の横緒と第２の横緒とから構成することで、鼻緒により第１足指対応部と第２足指対応部との付け根対応部が支持され、第１の横緒と第２の横緒により足甲部分が支持されることにより、履物内部での足先の安定感を高め、第１の横緒と第２の横緒のそれぞれの先端を甲被部材の内部に接続することにより、その履物の甲被部材の開口部側の形状や素材に左右されることなく、鼻緒を設けることができる。
【００２０】
請求項７によれば、足側面被部材により足側面対応部が保持されることにより、履物の足へのサポート性が高まり、履物としての安定感を増すことができる。
【００２１】
請求項８によれば、下底部材は、ゴム又は合成樹脂からなる軟質弾性部材から形成したことにより、歩行時の床面からの衝撃を下底が分散させ、足への衝撃を減少させるとともに、下底の屈曲性が増すことで、足の動きへの履物の同調性が増し、足と履物の一体感を向上することができる。
【考案を実施するための最良の形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２３】
図１乃至図４は実施例１を示しており、矯正用履物１は、足型に形成された内底２に設けられた鼻緒３と、内底２に鼻緒３を内包するように形成して設けられた甲被部材４と、内底２の下側面に設けられた下底５から構成されている。
【００２４】
前記内底２は足型に形成された薄い板状のもので、その内底２の周縁６には、足全体を覆う略袋状の甲被部材４が固着されている。甲被部材４の上方には開口部７が形成され、その開口部７は人間の甲対応部分から踝対応部分までを露出可能にする大きさに形成されている。そして、内底２と甲被部材４により踝が露出する踵部Ｋが短靴形態の履物が形成される。また、内底２の上側面８の足指の第１足指対応部９と第２足指対応部10との付け根対応部11には上方に立設した円柱状の仕切部材たる前緒12が設けられ、前緒12の上端には第１のサポート部材たる第１の横緒13及び第２のサポート部材たる第２の横緒14が接続されている。前記第１の横緒13の一端は前緒12の上端に接続され、他端は内底２の第１足指対応部９側の中央側端で接続されている。前記第２の横緒14の一端は前緒12の上端に接続され、他端は内底２の第５足指対応部15側の中央側端で接続されている。前緒12と第１の横緒13と第２の横緒14により、前記鼻緒３は構成されている。
【００２５】
下底５は内底２と同様な足型に形成され内底２の下側面に固着されており、下底５の踵対応部は下方に厚く形成されヒール部16を形成している。
【００２６】
以上の構成について作用を述べると、矯正用履物１は装着し起立した状態では、足指の第１指17と第２指18の付け根部分19が鼻緒３の前緒12に当接し、足指の５指17,18,20,21,22は共に甲被部材４の裏側に非圧迫な状態である。
【００２７】
ここで、図２に示すように人間の正常歩行での立脚期は５つの段階、踵が接地する（heel  strike）、足の平が接地する（foot  flat）、中間起立（midstance）、爪先が立つ（heel  off）、爪先が離れる（toe  off）と移行していくが、後半のheel  offとtoe  offでは、足先に荷重が集中する。
【００２８】
そして、矯正用履物１を履いての歩行時に、鼻緒３の前緒12により足指の第１指17と第２指18の付け根部19が支持され、第１の横緒13そして第２の横緒14により足の甲部分23及び足の側部分24が支持されることで、矯正用履物１の甲被部材４の内部での歩行時（特にheel  off、toe  off）の前述した足先方向への荷重集中による足先の前方向への移動が抑止される。それにより、足先と甲被部材４との非圧迫な状態が保たれることとなる。
【００２９】
また、矯正用履物１に鼻緒３を有すことにより、歩行時（特にheel  off、toe  off）に鼻緒３の前緒12は足指の第１指17と第２指18により握り込まれ、その時に生じる力25は足指17,18が鼻緒３を引っ張る力ともなり、鼻緒３を通じて内底２が足指17,18により引っ張られる形となり、歩行時の足先の動きに対し矯正用履物１の内底２も同調して動く（図３,４参照）。
【００３０】
以上のように、前記実施例では請求項１に対応して、鼻緒３を有する履物１であって、少なくとも踵部Ｋが短靴形態をしたことにより、踵部Ｋが短靴形態をした履物１でも内反小指及び外反母趾を予防し、また既に内反小指及び外反母趾になった人でも、足に痛みを伴わずに履くことができる。
【００３１】
また、前記実施例では請求項２に対応して、前記履物１は、踵部Ｋを構成している下底５の後端を下方に突設しヒール部16を設けたことにより、履物１としての安定感が増し、内反小指又は外反母趾の矯正用履物１としても意匠的にも優れたものとすることができる。
【００３２】
さらに、前記実施例では請求項４に対応して、前記履物１は、履物本体の内底２における足指の第１足指対応部９と第２足指対応部10の付け根対応部11から上方に立設された仕切部材たる前緒12を有する鼻緒３を有したことにより、前緒12が荷重歩行時の足指を支持し、履物１の甲被部材４の内部に足指が押付けられる痛みを無くすることができる。
【００３３】
また、前記実施例では請求項５に対応して、前記鼻緒３は、前記前緒12の上端に接続された第１の横緒13と第２の横緒14を有し、前記第１の横緒13は一端を前記前緒12の上端に接続し他端を前記内底２の第１足指対応部９側の中央側端で接続され、前記第２の横緒14は一端を前記前緒12の上端に接続し他端を前記内底２の第５足指対応部15側の中央側端で接続したことにより、鼻緒３を前緒12と第１の横緒13と第２の横緒14とから構成することで、鼻緒３により第１足指対応部９と第２足指対応部10との付け根対応部11が支持され、第１の横緒13と第２の横緒14により足の甲部分23と足側面部分24とが支持されることにより、履物１内部での足先の安定感を高めることができる。
【００３４】
さらに、その他の効果として履物１の甲被部材４の内部で鼻緒３の前緒12により、第１指17と第２指18との間に間隔が生まれることにより、甲被部材４内部の通気性が向上し、水虫や悪臭を防ぐことができる。
【実施例２】
【００３５】
図５は実施例２を示しており、実施例１と重複する箇所の説明については省略する。矯正用履物１は、足型に形成された内底２に設けられた鼻緒３と、内底２に鼻緒３を内包するように形成して設けられた甲被部材４と、内底２の下側面に設けられた下底５から構成されている。
【００３６】
前記内底２は足型に形成された薄い板状のもので、その内底２の周縁６には、足全体を覆う略袋状の甲被部材４が固着されている。甲被部材４は前後で異なる素材を組み合せたもので、前半部分４aは人工皮革や天然皮革等の強度を有する素材から形成され、後半部分４bは通気性を有するメッシュ素材から形成されている。後半部分４bの上方には開口部７が形成され、その開口部７は人間の甲対応部分から踝対応部分までを露出可能にする大きさに形成されている。そして、内底２と甲被部材４により踝が露出する踵部Ｋが短靴形態の履物が形成される。また、内底２の上側面８の足指の第１足指対応部９と第２足指対応部10との付け根部11には上方に立設された円柱状の仕切部材たる前緒12が設けられ、その前緒12の上端には第１のサポート部材たる第１の横緒26及び第２のサポート部材たる第２の横緒27が接続されている。前記第１の横緒26の一端は前緒12の上端に接続され、他端は甲被部材４における裏面の内側で接続されている。前記第２の横緒27の一端は前緒12の上端に接続され、他端は甲被部材４における裏面の外側で接続されている。前緒12と第１の横緒26と第２の横緒27により、前記鼻緒３は構成されている。
【００３７】
下底５は内底２と同様な足型に形成され内底２の下側面に固着されており、下底５の踵対応部は下方に厚く形成されヒール部16を形成している。
【００３８】
以上の構成について作用を述べると、矯正用履物１を履いての歩行時に、鼻緒３の前緒12により足指の第１指17と第２指18の付け根部19が支持され、第１の横緒26そして第２の横緒27により足甲部分23が支持されることで、矯正用履物１の甲被部材４の内部における前述した歩行時（特にheel  off、toe  off）の足先方向への荷重集中による足先の前方向への移動が抑止される。それにより、足先と甲被部材４との非圧迫な状態が保たれることとなる。
【００３９】
以上のように、前記実施例では請求項６に対応して、前記鼻緒３は、前記前緒12の上端に接続された第１の横緒26と第２の横緒27を有し、前記第１の横緒26は一端を前記前緒12の上端に接続し他端を前記履物１の甲被部材４aにおける裏面の内側で接続され、前記第２の横緒27は一端を前記前緒12の上端に接続し他端を前記履物１の前記甲被部材４aにおける裏面の外側で接続したことにより、鼻緒３により第１足指対応部９と第２足指対応部10との付け根対応部11が支持され、第１の横緒26と第２の横緒27により足の甲部分23が支持され、履物１内部での足先の安定感を高め、第１の横緒26と第２の横緒27のそれぞれの先端を甲被部材４aの内部に接続することにより、その履物１の甲被部材４の開口部７側の形状や素材に左右されることなく、鼻緒３を設けることができる。
【実施例３】
【００４０】
図６は実施例３を示しており、実施例１と重複する箇所の説明については省略する。矯正用履物１は、足型に形成された内底２に設けられた鼻緒３と、内底２に鼻緒３を内包するように形成して設けられた甲被部材４と、内底２の踵側に設けられた踵固定部材27と、内底２の下側面に設けられた下底５から構成されている。
【００４１】
前記内底２は足型に形成された薄い板状のもので、その内底２の前方側の周縁６には、足先全体を覆う略半逆舟形をした甲被部材４が固着されている。内底２の後方側の周縁６の踵対応部側には半円弧状の踵固定部材28が立設固着されている。また、内底２の上側面８の足指の第１足指対応部９と第２足指対応部10との付け根部11には上方に立設された円柱状の仕切部材たる前緒12が設けられ、その前緒12の上端には第１のサポート部材たる第１の横緒26及び第２のサポート部材たる第２の横緒27が接続されている。前記第１の横緒26の一端は前緒12の上端に接続され、他端は甲被部材４における裏面の内側で接続されている。前記第２の横緒27の一端は前緒12の上端に接続され、他端は甲被部材４における裏面の外側で接続されている。前緒12と第１の横緒26と第２の横緒27により、前記鼻緒３は構成されている。
【００４２】
下底５は内底２と同様な足型に形成され内底２の下側面に固着されており、下底５の踵対応部は下方に厚く形成されヒール部16を形成している。
【００４３】
以上の構成により、鼻緒３の第１の横緒26と第２の横緒27のそれぞれの他端を、足先のみの覆う甲被部材４の内部に接続することにより、履物１の甲被部材４の形状や素材に左右されることなく、鼻緒３を設けることができる。
【実施例４】
【００４４】
図７は実施例４を示しており、実施例１と重複する箇所の説明については省略する。矯正用履物１は、足型に形成された内底２に設けられた鼻緒３と、内底２に設けられた踵固定部材27と、内底２の下側面に設けられた下底５から構成されている。
【００４５】
前記内底２は足型に形成された薄い板状のもので、その内底２の周縁６の踵対応部側には半円弧状の踵固定部材28が立設固着されている。また、内底２の上側面８の足指の第１足指対応部９と第２足指対応部10との付け根部11には上方に立設された円柱状の仕切部材たる前緒12が設けられ、前緒12の上端には第１のサポート部材たる第１の横緒13及び第２のサポート部材たる第２の横緒14が接続されている。前記第１の横緒13の一端は前緒12の上端に接続され、他端は内底２の第１足指対応部９側の中央側端で接続されている。前記第２の横緒14の一端は前緒12の上端に接続され、他端は内底２の第５足指対応部15側の中央側端で接続されている。前緒12と第１の横緒13と第２の横緒14により、前記鼻緒３は構成されている。
【００４６】
下底５は内底２と同様な足型に形成され内底２の下側面に固着されており、下底５の踵対応部は下方に厚く形成されヒール部16を形成している。
【００４７】
以上の構成について作用・効果を述べると、通気性やデザイン性に特化したサンダル形状をした履物１でも鼻緒３と踵固定部材28を設けることで、鼻緒３により足先が安定し、踵固定部材28により踵が固定されて安定する為、階段の上り下りや車の運転等の足先の上下動が多い場合でも対応して使用することができる。
【実施例５】
【００４８】
図８は実施例５を示しており、実施例１と重複する箇所の説明については省略する。矯正用履物１は、足型に形成された内底２に設けられた鼻緒３と、内底２に鼻緒３を内包するように形成して設けられた甲被部材４と、内底２の踵側に設けられた踵固定部材27と、内底２の下側面に設けられた下底５から構成されている。
【００４９】
前記内底２は足型に形成された薄い板状のもので、その内底２の前方側の周縁６には、足先全体を覆う略半逆舟形をした甲被部材４が固着されている。内底２の後方側の周縁６の踵対応部側には半円弧状の踵固定部材28が立設固着されている。また、内底２の上側面８の足指の第１足指対応部９と第２足指対応部10との付け根部11には上方に立設された円柱状の仕切部材たる前緒12が設けられ、その前緒12の上端には第１のサポート部材たる第１の横緒26及び第２のサポート部材たる第２の横緒27が接続されている。前記第１の横緒26の一端は前緒12の上端に接続され、他端は甲被部材４における裏面の内側で接続されている。前記第２の横緒27の一端は前緒12の上端に接続され、他端は甲被部材４における裏面の外側で接続されている。前緒12と第１の横緒26と第２の横緒27により、前記鼻緒３は構成されている。
【００５０】
甲被部材４の開口部分と踵固定部材28との間には、足側面対応部29を支持する帯状の足側面被部材30が形成されている。足側面被部材30の材質としては、メッシュ素材、皮革素材や布等が用いられる
下底５は内底２と同様な足型に形成され内底２の下側面に固着されており、下底５の踵対応部は下方に厚く形成されヒール部16を形成している。
【００５１】
以上のように、前記実施例では請求項７に対応して、前記矯正用履物１は、足側面対応部分29を保持する足側面被部材30を有したことにより、矯正用履物１の足へのサポート性が高まり、履物としての安定感を増すことができる。
【実施例６】
【００５２】
図９は実施例６を示しており、実施例１と重複する箇所の説明については省略する。矯正用履物１は、足型に形成された内底２に設けられた鼻緒３と、内底２に設けられた踵固定部材27と、内底２の下側面に設けられた下底５から構成されている。
【００５３】
前記内底２は足型に形成された薄い板状のもので、その内底２の周縁６の踵対応部側には半円弧状の踵固定部材28が立設固着されている。また、内底２の上側面８には、足指の第１足指対応部９と第２足指対応部10との付け根部11に上方に立設された円柱状の仕切部材たる前緒12が設けられ、前緒12の上端には第１のサポート部材たる第１の横緒13及び第２のサポート部材たる第２の横緒14が接続されている。前記第１の横緒13の一端は前緒12の上端に接続され、他端は内底２の第１足指対応部９側の中央側端で接続されている。前記第２の横緒14の一端は前緒12の上端に接続され、他端は内底２の第５足指対応部15側の中央側端で接続されている。前緒12と第１の横緒13と第２の横緒14により、前記鼻緒３は構成されている。
【００５４】
第１の横緒13と踵固定部材28との間と、第２の横緒14と踵固定部材28との間のそれぞれには、足側面対応部29を支持する帯状の足側面被部材30が形成されている。足側面被部材30の材質としては、メッシュ素材、皮革素材や布等が用いられる。前記踵固定部材28と足側面被部材30とは一体に形成されている。
【００５５】
下底５は内底２と同様な足型に形成され内底２の下側面に固着されており、下底５の踵対応部は下方に厚く形成されヒール部16を形成している。
【００５６】
以上のように、前記実施例では請求項７に対応して、前記矯正用履物１は、足側面対応部29を保持する足側面被部材30を有したことにより、矯正用履物１の足へのサポート性が高まり、履物としての安定感を増すことができる。
【実施例７】
【００５７】
図10は実施例７を示しており、実施例１と重複する箇所の説明については省略する。矯正用履物１は、足型に形成された内底２に設けられた鼻緒３と、内底２に設けられた踵固定部材27と、内底２の下側面に設けられた下底５から構成されている。
【００５８】
前記内底２は足型に形成された薄い板状のもので、その内底２の周縁６の踵対応部側には半円弧状の踵固定部材28が立設固着されている。また、内底２の上側面８の足指の第１指対応部９と第２指対応部10との付け根部11には上方に立設された円柱状の仕切部材たる前緒12が設けられ、前緒12の上端には第１のサポート部材たる第１の横緒13及び第２のサポート部材たる第２の横緒14が接続されている。前記第１の横緒13の一端は前緒12の上端に接続され、他端は内底２の第１足指対応部９側の中央側端で接続されている。前記第２の横緒14の一端は前緒12の上端に接続され、他端は内底２の第５足指対応部15側の中央側端で接続されている。前緒12と第１の横緒13と第２の横緒14により、前記鼻緒３は構成されている。
【００５９】
第１の横緒13と踵固定部材28との間と、第２の横緒14と踵固定部材28との間のそれぞれには、足側面対応部29を保持する帯状の足側面被部材30が形成されている。足側面被部材30の材質としては、メッシュ素材、皮革素材や布等が用いられる。
【００６０】
下底５の下底部材５aはゴム又は合成樹脂からなる軟質弾性部材からなり、内底２と同様な足型に形成され内底２の下側面に固着されており、下底５の踵対応部には下底５の他の部分に対し僅かに厚く突設形成されたヒール部31を形成している。この僅かな厚みＡは、履物底部材の平均な厚みＢの３倍以内に形成されている。
【００６１】
以上の構成について作用を述べると、矯正用履物１を装着した時に履物の内底２の僅かな前傾に沿って、足先に僅かに荷重が集中する。また、足先を反り返す動作に内底２の変形を通じて、下底５も同調して容易に変形して反り返り、使用者が階段等の上り下りや床面の凹凸に対応して行った足の動きに矯正用履物１全体も同調して容易に変形する。さらに、この矯正用履物１をスリッパのように室内履きとして用いた場合、足先と踵が矯正用履物１に保持されているため通常のスリッパのように、スリッパと踵とが離れることにより床面にスリッパの踵部分が叩きつけられて生じるパタパタという音を防ぐことができる。
【００６２】
以上のように、前記実施例では請求項３に対応して、前記履物１は、踵部Ｋを構成している下底５の後端を下方に僅かに突設しヒール部を31設けたことにより、ヒール部31の厚さを僅かにすることにより、履物を履いた時の前傾の傾斜を少なくし、足先への荷重の集中を緩和させ、内反小指又は外反母趾の予防の効果を高め、足の痛みを緩和させるとともに、ヒール部31の引っかかりを少なくすることで、凹凸や段差の有る場所での使用においても容易に対応することができる。
【００６３】
また、前記実施例では請求項８に対応して、前記矯正用履物１の下底部材５aは、ゴム又は合成樹脂からなる軟質弾性部材から形成されたことにより、歩行時の床面からの衝撃を下底が分散させ、足への衝撃を減少させるとともに、下底の屈曲性が増すことで、足の動きへの矯正用履物１の同調性が増し、足と矯正用履物１の一体感を向上することができる。
【図面の簡単な説明】
【００６４】
【図１】本考案の実施例１における矯正用履物の斜視図である。
【図２】歩行動作の概略を示す説明図である。
【図３】本考案の実施例１における矯正用履物を装着した状態での内部の状態を示す平面図である。
【図４】本考案の実施例１における矯正用履物を装着し足指により仕切部材が握り込まれた状態の足指と内底との関係を示した側面図である。
【図５】本考案の実施例２における矯正用履物の斜視図である。
【図６】本考案の実施例３における矯正用履物の斜視図である。
【図７】本考案の実施例４における矯正用履物の斜視図である。
【図８】本考案の実施例５における矯正用履物の斜視図である。
【図９】本考案の実施例６における矯正用履物の斜視図である。
【図１０】本考案の実施例７における矯正用履物の斜視図である。
【図１１】従来の踵部が短靴形態をした履物の一例を示した斜視図である。
【符号の説明】
【００６５】
１  矯正用履物
２  内底
３  鼻緒
４,４a,４b  甲被部材
５  下底
５a  下底部材
６  周縁
７  開口部
９  第１足指対応部
10  第２足指対応部
11  付け根対応部
12  前緒（仕切部材）
13,26  第１の横緒（第１のサポート部材）
14,27  第２の横緒（第２のサポート部材）
15  第５足指対応部
16,31  ヒール部
29  足側面対応部
30  足側面被部材
Ｋ  踵部
【図１】
0003117302.tif 000003
【図２】
0003117302.tif 000004
【図３】
0003117302.tif 000005
【図４】
0003117302.tif 000006
【図５】
0003117302.tif 000007
【図６】
0003117302.tif 000008
【図７】
0003117302.tif 000009
【図８】
0003117302.tif 000010
【図９】
0003117302.tif 000011
【図１０】
0003117302.tif 000012
【図１１】
0003117302.tif 000013